(57)【要約】【課題】  不良検出率を向上させる。【解決手段】  液晶表示装置１０は、行方向に順に配列された第１乃至第６列ラインを有する画素アレイと、第１乃至第６配線とを含む。第１乃至第６列ラインの各々は、列方向に配列された複数の画素４０からなり、第１及び第４列ラインは、第１色を表示可能であり、第２及び第５列ラインは、第２色を表示可能であり、第３及び第６列ラインは、第３色を表示可能である。第１乃至第６配線は、第１乃至第６列ラインにトランジスタ５０を介して接続される。検査方法は、第１配線、第３配線、及び第５配線に第１電圧を印加し、第２配線、第４配線、及び第６配線に第２電圧を印加する工程と、第１配線、第３配線、及び第５配線に第１電圧を印加し、第２配線、第４配線、及び第６配線に第２電圧を印加する工程とを含む。【選択図】  図４
2017138393.tif 000002
【特許請求の範囲】
【請求項１】
液晶表示装置の検査方法であって、
前記液晶表示装置は、
行方向に順に配列された第１乃至第６列ラインを有し、前記第１乃至第６列ラインの各々は、列方向に配列された複数の画素からなり、前記第１及び第４列ラインは、第１色を表示可能であり、前記第２及び第５列ラインは、第２色を表示可能であり、前記第３及び第６列ラインは、第３色を表示可能である、画素アレイと、
前記第１乃至第６列ラインにそれぞれ接続された第１乃至第６信号線と、
前記画素アレイの奇数行ラインに接続された第１走査線と、
前記画素アレイの偶数行ラインに接続された第２走査線と、
前記第１乃至第６信号線にそれぞれ接続された第１端子を有する第１乃至第６トランジスタと、
前記第１乃至第６トランジスタの第２端子にそれぞれ接続された第１乃至第６配線と、
前記第１及び第２走査線にそれぞれ接続された第１端子を有する第７及び第８トランジスタと、
前記第７及び第８トランジスタの第２端子にそれぞれ接続された第７及び第８配線と、
前記第１乃至第８トランジスタのゲートに共通接続された第９配線と
を具備し、
前記検査方法は、
前記第７及び第９配線にオン電圧を印加した状態で、前記第１配線、前記第３配線、及び前記第５配線に第１電圧を印加し、前記第２配線、前記第４配線、及び前記第６配線に第２電圧を印加する工程と、
前記第８及び第９配線にオン電圧を印加した状態で、前記第１配線、前記第３配線、及び前記第５配線に前記第１電圧を印加し、前記第２配線、前記第４配線、及び前記第６配線に前記第２電圧を印加する工程と
を具備することを特徴とする液晶表示装置の検査方法。
【請求項２】
液晶表示装置の検査方法であって、
前記液晶表示装置は、
行方向に順に配列された第１乃至第６列ラインを有し、前記第１乃至第６列ラインの各々は、列方向に配列された複数の画素からなり、前記第１及び第４列ラインは、第１色を表示可能であり、前記第２及び第５列ラインは、第２色を表示可能であり、前記第３及び第６列ラインは、第３色を表示可能である、画素アレイと、
前記第１乃至第６列ラインにそれぞれ接続された第１乃至第６信号線と、
前記画素アレイの奇数行ラインに接続された第１走査線と、
前記画素アレイの偶数行ラインに接続された第２走査線と、
前記第１乃至第６信号線にそれぞれ接続された第１端子を有する第１乃至第６トランジスタと、
前記第１乃至第６トランジスタの第２端子にそれぞれ接続された第１乃至第６配線と、
前記第１及び第２走査線にそれぞれ接続された第１端子を有する第７及び第８トランジスタと、
前記第７及び第８トランジスタの第２端子にそれぞれ接続された第７及び第８配線と、
前記第１乃至第８トランジスタのゲートに共通接続された第９配線と
を具備し、
前記検査方法は、
前記第７及び第９配線にオン電圧を印加した状態で、前記第１配線、前記第３配線、及び前記第５配線に第１電圧を印加し、前記第２配線、前記第４配線、及び前記第６配線に第２電圧を印加する工程と、
前記第８及び第９配線にオン電圧を印加した状態で、前記第１配線、前記第３配線、及び前記第５配線に前記第２電圧を印加し、前記第２配線、前記第４配線、及び前記第６配線に前記第１電圧を印加する工程と
を具備することを特徴とする液晶表示装置の検査方法。
【請求項３】
前記複数の画素に共通接続され、前記第１電圧と前記第２電圧との間の第３電圧が印加される第１０配線をさらに具備することを特徴とする請求項１又は２に記載の液晶表示装置の検査方法。
【請求項４】
行方向に順に配列された第１乃至第６列ラインを有し、前記第１乃至第６列ラインの各々は、列方向に配列された複数の画素からなり、前記第１及び第４列ラインは、第１色を表示可能であり、前記第２及び第５列ラインは、第２色を表示可能であり、前記第３及び第６列ラインは、第３色を表示可能である、画素アレイと、
前記第１乃至第６列ラインにそれぞれ接続された第１乃至第６信号線と、
前記画素アレイの奇数行ラインに接続された第１走査線と、
前記画素アレイの偶数行ラインに接続された第２走査線と、
前記第１乃至第６信号線にそれぞれ接続された第１端子を有する第１乃至第６トランジスタと、
前記第１乃至第６トランジスタの第２端子にそれぞれ接続され、互いに異なる検査用の電圧が印加可能である第１乃至第６配線と、
前記第１及び第２走査線にそれぞれ接続された第１端子を有する第７及び第８トランジスタと、
前記第７及び第８トランジスタの第２端子にそれぞれ接続され、検査用の電圧が印加される第７及び第８配線と、
前記第１乃至第８トランジスタのゲートに共通接続され、検査用の電圧が印加される第９配線と
を具備することを特徴とする液晶表示装置。
【請求項５】
前記複数の画素に共通接続された第１０配線をさらに具備し、
前記第１乃至第６配線には、第１電圧及び第２電圧の１つが個別に印加され、
前記第１０配線には、前記第１電圧と前記第２電圧との間の第３電圧が印加されることを特徴とする請求項４に記載の液晶表示装置。
【請求項６】
前記第１乃至第９配線にそれぞれ接続され、検査用の電圧が印加される第１乃至第９端子をさらに具備することを特徴とする請求項４又は５に記載の液晶表示装置。
【発明の詳細な説明】
【技術分野】
【０００１】
本発明は、液晶表示装置及びその検査方法に関する。
【背景技術】
【０００２】
例えば液晶表示装置にＬＳＩ（large-scale integrated circuit）を接合する前に、液晶表示装置の検査が行われる。画像表示領域外に一括点灯用トランジスタを配置し、数本の電気的接続で、白、黒、赤、緑、青、黄、シアン、マゼンダの８色が表示可能となる一括点灯検査方法が提案されている（特許文献１）。
【０００３】
液晶表示装置には、様々な種類の駆動方式が適用可能である。最終製品と同じ駆動方式を用いて検査を行うことで、不良検出率を向上させることができる。
【先行技術文献】
【特許文献】
【０００４】
【特許文献１】特開２００１−２９６５６２号公報
【発明の概要】
【発明が解決しようとする課題】
【０００５】
本発明は、不良検出率を向上させることが可能な液晶表示装置及びその検査方法を提供する。
【課題を解決するための手段】
【０００６】
本発明の一態様に係る液晶表示装置の検査方法において、前記液晶表示装置は、行方向に順に配列された第１乃至第６列ラインを有し、前記第１乃至第６列ラインの各々は、列方向に配列された複数の画素からなり、前記第１及び第４列ラインは、第１色を表示可能であり、前記第２及び第５列ラインは、第２色を表示可能であり、前記第３及び第６列ラインは、第３色を表示可能である、画素アレイと、前記第１乃至第６列ラインにそれぞれ接続された第１乃至第６信号線と、前記画素アレイの奇数行ラインに接続された第１走査線と、前記画素アレイの偶数行ラインに接続された第２走査線と、前記第１乃至第６信号線にそれぞれ接続された第１端子を有する第１乃至第６トランジスタと、前記第１乃至第６トランジスタの第２端子にそれぞれ接続された第１乃至第６配線と、前記第１及び第２走査線にそれぞれ接続された第１端子を有する第７及び第８トランジスタと、前記第７及び第８トランジスタの第２端子にそれぞれ接続された第７及び第８配線と、前記第１乃至第８トランジスタのゲートに共通接続された第９配線とを具備する。前記検査方法は、前記第７及び第９配線にオン電圧を印加した状態で、前記第１配線、前記第３配線、及び前記第５配線に第１電圧を印加し、前記第２配線、前記第４配線、及び前記第６配線に第２電圧を印加する工程と、前記第８及び第９配線にオン電圧を印加した状態で、前記第１配線、前記第３配線、及び前記第５配線に前記第１電圧を印加し、前記第２配線、前記第４配線、及び前記第６配線に前記第２電圧を印加する工程とを具備する。
【０００７】
本発明の一態様に係る液晶表示装置は、行方向に順に配列された第１乃至第６列ラインを有し、前記第１乃至第６列ラインの各々は、列方向に配列された複数の画素からなり、前記第１及び第４列ラインは、第１色を表示可能であり、前記第２及び第５列ラインは、第２色を表示可能であり、前記第３及び第６列ラインは、第３色を表示可能である、画素アレイと、前記第１乃至第６列ラインにそれぞれ接続された第１乃至第６信号線と、前記画素アレイの奇数行ラインに接続された第１走査線と、前記画素アレイの偶数行ラインに接続された第２走査線と、前記第１乃至第６信号線にそれぞれ接続された第１端子を有する第１乃至第６トランジスタと、前記第１乃至第６トランジスタの第２端子にそれぞれ接続され、互いに異なる検査用の電圧が印加可能である第１乃至第６配線と、前記第１及び第２走査線にそれぞれ接続された第１端子を有する第７及び第８トランジスタと、前記第７及び第８トランジスタの第２端子にそれぞれ接続され、検査用の電圧が印加される第７及び第８配線と、前記第１乃至第８トランジスタのゲートに共通接続され、検査用の電圧が印加される第９配線とを具備する。
【発明の効果】
【０００８】
本発明によれば、不良検出率を向上させることが可能な液晶表示装置及びその検査方法を提供することができる。
【図面の簡単な説明】
【０００９】
【図１】本実施形態に係る液晶表示装置の概略的な平面図及び側面図。
【図２】液晶表示装置の断面図。
【図３】液晶表示装置の回路。
【図４】液晶表示装置の検査に使用される回路構成を説明する図。
【図５】複数の駆動方式を説明する図。
【図６】液晶表示装置の検査の様子を説明する図。
【図７】カラム反転駆動方式を用いた検査方法のタイミングチャート。
【図８】カラム反転駆動方式を用いた液晶表示装置の電圧状態を説明する図。
【図９】ドット反転駆動方式を用いた検査方法のタイミングチャート。
【図１０】ドット反転駆動方式を用いた液晶表示装置の電圧状態を説明する図。
【図１１】フレーム反転駆動方式を用いた検査方法のタイミングチャート。
【図１２】フレーム反転駆動方式を用いた液晶表示装置の電圧状態を説明する図。
【図１３】行ライン反転駆動方式を用いた検査方法のタイミングチャート。
【図１４】行ライン反転駆動方式を用いた液晶表示装置の電圧状態を説明する図。
【発明を実施するための形態】
【００１０】
以下、実施形態について図面を参照して説明する。ただし、図面は模式的または概念的なものであり、各図面の寸法および比率等は必ずしも現実のものと同一とは限らないことに留意すべきである。また、図面の相互間で同じ部分を表す場合においても、互いの寸法の関係や比率が異なって表される場合もある。特に、以下に示す幾つかの実施形態は、本発明の技術思想を具体化するための装置および方法を例示したものであって、構成部品の形状、構造、配置等によって、本発明の技術思想が特定されるものではない。なお、以下の説明において、同一の機能及び構成を有する要素については同一符号を付し、重複説明は必要な場合にのみ行う。
【００１１】
［１］  液晶表示装置の構成
図１は、本実施形態に係る液晶表示装置１０の概略的な平面図及び側面図である。図１の左側が平面図、図１の右側が側面図である。
【００１２】
液晶表示装置１０は、２つの基板２１、２２と、基板２１及び基板２２間に挟持された液晶層２３と、液晶層２３を封止するシール材２４とを備える。基板２１と基板２２とが重なる領域には、画素アレイが配置される。また、基板２１上には、複数の画素を駆動するドライバ１１と、複数の端子を有する端子部１２と、検査用に使用される端子Ｔ１〜Ｔ１０とが設けられる。
【００１３】
図２は、液晶表示装置１０の断面図である。  
液晶表示装置１０は、スイッチング素子（ＴＦＴ）及び画素電極等が形成されるＴＦＴ基板２１と、カラーフィルター及び共通電極等が形成されかつＴＦＴ基板２１に対向配置されるカラーフィルター基板（ＣＦ基板）２２と、ＴＦＴ基板２１及びＣＦ基板２２間に挟持された液晶層２３とを備える。ＴＦＴ基板２１及びＣＦ基板２２の各々は、透明基板（例えば、ガラス基板）から構成される。ＣＦ基板２２は、バックライト（図示せず）に対向配置され、バックライトからの照明光は、ＣＦ基板２２側から液晶表示装置１０に入射する。ＴＦＴ基板２１のバックライトとは反対側の面が液晶表示装置１０の表示面である。
【００１４】
液晶層２３は、ＴＦＴ基板２１及びＣＦ基板２２間を貼り合わせるシール材２４によって封入された液晶材料により構成される。液晶材料は、ＴＦＴ基板２１及びＣＦ基板２２間に印加された電界に応じて液晶分子の配向が操作されて光学特性が変化する。液晶モードとしては、ＶＡ（Vertical Alignment）モード、ＴＮ（Twisted Nematic）モード、及びホモジニアスモードなど種々の液晶モードを用いることができる。シール材２４は、例えば、紫外線硬化樹脂、熱硬化樹脂、又は紫外線・熱併用型硬化樹脂等からなり、製造プロセスにおいてＴＦＴ基板２１又はＣＦ基板２２に塗布された後、紫外線照射、又は加熱等により硬化させられる。
【００１５】
ＴＦＴ基板２１の液晶層２３側には、複数のスイッチング素子（アクティブ素子）２５が設けられる。スイッチング素子２５としては、例えばＴＦＴ（Thin Film Transistor）が用いられ、またｎチャネルＴＦＴが用いられる。ＴＦＴ２５は、走査線ＧＬに電気的に接続されるゲート電極と、ゲート電極上に設けられたゲート絶縁膜と、ゲート絶縁膜上に設けられた半導体層（例えばアモルファスシリコン層）と、半導体層上に離間して設けられたソース電極及びドレイン電極とを備える。ソース電極は、信号線ＳＬに電気的に接続される。
【００１６】
ＴＦＴ２５上には、絶縁層２６が設けられる。絶縁層２６上には、複数の画素電極２７が設けられる。絶縁層２６内かつＴＦＴ２５のドレイン電極上には、画素電極２７に電気的に接続されたコンタクトプラグ２８が設けられる。
【００１７】
ＣＦ基板２２の液晶層２３側には、カラーフィルター２９が設けられる。カラーフィルター２９は、複数の着色フィルター（着色部材）を備え、具体的には、複数の赤フィルター２９−Ｒ、複数の緑フィルター２９−Ｇ、及び複数の青フィルター２９−Ｂを備える。一般的なカラーフィルターは光の三原色である赤（Ｒ）、緑（Ｇ）、青（Ｂ）で構成される。隣接したＲ、Ｇ、Ｂの三色のセットが表示の単位（画素）となっており、１つの画素中のＲ、Ｇ、Ｂのいずれか単色の部分はサブピクセル（サブ画素）と呼ばれる最小駆動単位である。ＴＦＴ２５及び画素電極２７は、サブピクセルごとに設けられる。以下の説明では、画素とサブ画素との区別が特に必要な場合を除き、サブ画素を画素と呼ぶものとする。
【００１８】
赤フィルター２９−Ｒ、緑フィルター２９−Ｇ、及び青フィルター２９−Ｂの境界部分、及び画素（サブピクセル）の境界部分には、遮光用のブラックマトリクス（遮光膜）３０が設けられる。すなわち、ブラックマトリクス３０は、網目状に形成される。ブラックマトリクス３０は、例えば、着色部材間の不要な光を遮蔽し、コントラストを向上させるために設けられる。
【００１９】
カラーフィルター２９及びブラックマトリクス３０上には、共通電極３１が設けられる。共通電極３１は、液晶表示装置１０の表示領域全体に平面状に形成される。
【００２０】
円偏光板３２、３３は、ＴＦＴ基板２１及びＣＦ基板２２を挟むように設けられる。円偏光板３２、３３の各々は、直線偏光子と１／４波長板とから構成される。
【００２１】
画素電極２７、コンタクトプラグ２８、及び共通電極３１は、透明電極から構成され、例えばＩＴＯ（インジウム錫酸化物）が用いられる。絶縁層２６としては、透明な絶縁材料が用いられ、例えば、シリコン窒化物（ＳｉＮ）が用いられる。
【００２２】
次に、液晶表示装置１０の回路構成について説明する。図３は、液晶表示装置１０の回路である。
【００２３】
液晶表示装置１０は、複数の画素４０がマトリクス状に配列された画素アレイと、走査ドライバ（走査線駆動回路）４１と、信号ドライバ（信号線駆動回路）４２と、共通電圧供給回路４３とを備える。図３では、図面の簡略化のために、４つの画素４０を抽出して示している。走査ドライバ４１、信号ドライバ４２、及び共通電圧供給回路４３は、図１のドライバ１１に含まれる。
【００２４】
液晶表示装置１０には、それぞれがロウ方向（Ｘ方向）に延びる複数の走査線ＧＬと、それぞれがカラム方向（Ｙ方向）に延びる複数の信号線ＳＬとが配設される。走査線ＧＬと信号線ＳＬとの交差領域には、画素４０が配置される。
【００２５】
画素４０は、ＴＦＴ２５、液晶容量（液晶素子）Ｃｌｃ、及び蓄積容量Ｃｓを備える。ＴＦＴ２５のソースは、信号線ＳＬに電気的に接続される。ＴＦＴ２５のゲートは、走査線ＧＬに電気的に接続される。ＴＦＴ２５のドレインは、液晶容量Ｃｌｃに電気的に接続される。液晶素子としての液晶容量Ｃｌｃは、画素電極と、共通電極と、これらに挟まれた液晶層とにより構成される。
【００２６】
蓄積容量Ｃｓは、液晶容量Ｃｌｃに並列接続される。蓄積容量Ｃｓは、画素電極に生じる電位変動を抑制するとともに、画素電極に印加された駆動電圧を次の信号に対応する駆動電圧が印加されるまでの間保持する機能を有する。蓄積容量Ｃｓは、画素電極と、蓄積電極（蓄積容量線）と、これらに挟まれた絶縁膜とにより構成される。共通電極及び蓄積電極は、信号線ＣＯＭを介して共通電圧供給回路４３に接続される。また、図３の信号線ＣＯＭは、図１の端子Ｔ１０にも接続される。
【００２７】
走査ドライバ４１は、複数の走査線ＧＬに接続される。走査ドライバ４１は、制御回路（図示せず）から送られる垂直制御信号に基づいて、ＴＦＴ２５をオン／オフするための走査信号を画素アレイに送る。
【００２８】
信号ドライバ４２は、複数の信号線ＳＬに接続される。信号ドライバ４２は、制御回路から水平制御信号、及び表示データを受ける。信号ドライバ４２は、水平制御信号に基づいて、表示データに対応する階調信号（駆動電圧）を画素アレイに送る。
【００２９】
共通電圧供給回路４３は、共通電圧Ｖｃｏｍを生成してこれを画素アレイに供給する。
【００３０】
（検査用回路）
次に、液晶表示装置１０の検査用回路について説明する。図４は、液晶表示装置１０の検査に使用される回路構成を説明する図である。図４に示すように、本実施形態では、同じ色の画素（具体的にはカラーフィルター）がＹ方向に並んだストライプ配列が適用される。赤、緑、青の列ラインがＸ方向に順に繰り返されてストライプ配列が構成される。図４では、１２列ラインを抽出して示している。
【００３１】
液晶表示装置１０は、複数の列ラインに接続されたスイッチング素子群５０と、複数の行ラインのうち奇数行ラインに接続されたスイッチング素子群５１と、複数の行ラインのうち偶数行ラインに接続されたスイッチング素子群５２とを備える。スイッチング群素子５０、５１、５２は、例えばｎチャネルＴＦＴから構成される。
【００３２】
スイッチング素子群５０、スイッチング素子群５１、及びスイッチング素子群５２の全てのゲートには、信号線Ｔ_ＡＬＬが接続される。図１に示すように、信号線Ｔ_ＡＬＬは、端子Ｔ９に接続される。
【００３３】
スイッチング素子群５０は、そのソースが対応するソース線ＳＬに接続される。スイッチング素子群５０は、赤色画素（赤色列ライン）に接続されたトランジスタ５０_Ｒ１〜５０_Ｒ４と、緑色画素（緑色列ライン）に接続されたトランジスタ５０_Ｇ１〜５０_Ｇ４と、青色画素（青色列ライン）に接続されたトランジスタ５０_Ｂ１〜５０_Ｂ４とを備える。
【００３４】
本実施形態では、複数の赤色列ラインのうち奇数番目と偶数番目とを分けて制御可能であり、複数の緑色列ラインのうち奇数番目と偶数番目とを分けて制御可能であり、複数の青色列ラインのうち奇数番目と偶数番目とを分けて制御可能である。このため、複数の赤色列ラインにおいて、奇数番目のトランジスタ５０_Ｒ１、５０_Ｒ３は、そのドレインが信号線Ｒ_ＯＤＤに接続され、偶数番目のトランジスタ５０_Ｒ２、５０_Ｒ４は、そのドレインが信号線Ｒ_ＥＶＥＮに接続される。
【００３５】
同様に、複数の緑色列ラインにおいて、奇数番目のトランジスタ５０_Ｇ１、５０_Ｇ３は、そのドレインが信号線Ｇ_ＯＤＤに接続され、偶数番目のトランジスタ５０_Ｇ２、５０_Ｇ４は、そのドレインが信号線Ｇ_ＥＶＥＮに接続される。複数の青色列ラインにおいて、奇数番目のトランジスタ５０_Ｂ１、５０_Ｂ３は、そのドレインが信号線Ｂ_ＯＤＤに接続され、偶数番目のトランジスタ５０_Ｂ２、５０_Ｂ４は、そのドレインが信号線Ｂ_ＥＶＥＮに接続される。図１に示すように、信号線Ｒ_ＯＤＤ、Ｇ_ＯＤＤ、Ｂ_ＯＤＤ、Ｒ_ＥＶＥＮ、Ｇ_ＥＶＥＮ、及びＢ_ＥＶＥＮはそれぞれ、端子Ｔ１〜Ｔ６に接続される。
【００３６】
スイッチング素子群５１は、奇数番目の走査線ＧＬに対応した数のトランジスタを備える。スイッチング素子群５１のソースは、対応する奇数番目の走査線ＧＬに接続される。スイッチング素子群５１のドレインは、信号線Ｔ_ＯＤＤに接続される。図１に示すように、信号線Ｔ_ＯＤＤは、端子Ｔ８に接続される。
【００３７】
スイッチング素子群５２は、偶数番目の走査線ＧＬに対応する数のトランジスタを備える。スイッチング素子群５２のソースは、対応する偶数番目の走査線ＧＬに接続される。スイッチング素子群５２のドレインは、信号線Ｔ_ＥＶＥＮに接続される。図１に示すように、信号線Ｔ_ＥＶＥＮは、端子Ｔ７に接続される。
【００３８】
検査用に使用される信号線ＣＯＭは、端子Ｔ１０に接続される。共通電圧Ｖｃｏｍは、端子Ｔ１０及び信号線ＣＯＭを介して画素（具体的には、共通電極及び蓄積電極）に供給される。
【００３９】
（駆動方式）
次に、液晶表示装置１０が動作可能な駆動方式について説明する。図５は、複数の駆動方式を説明する図である。図５において、プラス（＋）の表記は、共通電圧Ｖｃｏｍより高い電圧が画素（具体的には、画素電極）に印加される状態を示しており、マイナス（−）の表記は、共通電圧Ｖｃｏｍより低い電圧が画素（具体的には、画素電極）に印加される状態を示している。また、図５において、画素の色をハッチングを変えて示している。
【００４０】
図５（ａ）は、フレーム反転駆動方式を説明する図である。フレームとは、１つの画像を表示するために全走査線ＧＬを順番に１回走査する期間である。フレーム反転駆動方式では、奇数フレームと偶数フレームとで、全画素に印加される電圧の極性が反転される。フレーム反転は、フィールド反転とも呼ばれる。
【００４１】
図５（ｂ）は、行ライン反転駆動方式を説明する図である。行ラインは、走査線ＧＬが延びる方向に対応する。行ライン反転駆動方式では、奇数行ラインと偶数行ラインとで、印加される電圧の極性が反転される。
【００４２】
図５（ｃ）は、列ライン反転駆動方式（カラム反転駆動方式ともいう）を説明する図である。列ラインは、信号線ＳＬが延びる方向に対応する。列ライン反転駆動方式では、奇数列ラインと偶数列ラインとで、印加される電圧の極性が反転される。
【００４３】
図５（ｄ）は、ドット反転駆動方式を説明する図である。ドットは、画素に対応する。ドット反転駆動方式では、Ｘ方向に隣接する２つの画素で印加される電圧の極性が反転され、さらに、Ｙ方向に隣接する２つの画素で印加される電圧の極性が反転される。
【００４４】
［２］  検査方法
次に、上記のように構成された液晶表示装置１０の検査方法について説明する。図６は、液晶表示装置１０の検査の様子を説明する図である。液晶表示装置１０の検査は、製品出荷前に行われる。
【００４５】
検査工程では、複数のプローブ６１を備えた検査機器６０が準備される。１０個のプローブ６１はそれぞれ、液晶表示装置１０の端子Ｔ１〜Ｔ１０に接続される。検査機器６０は、プローブ６１に各種電圧を印加可能であり、端子Ｔ１〜Ｔ１０を介して、信号Ｒ_ＯＤＤ、Ｇ_ＯＤＤ、Ｂ_ＯＤＤ、Ｒ_ＥＶＥＮ、Ｇ_ＥＶＥＮ、Ｂ_ＥＶＥＮ、Ｔ_ＥＶＥＮ、Ｔ_ＯＤＤ、Ｔ_ＡＬＬ、及びＣＯＭの電圧を設定可能である。以下に説明する電圧波形は、検査機器６０によって設定される。
【００４６】
以下に、カラム反転、ドット反転、フレーム反転、及び行ライン反転の順に、検査方法について説明する。
【００４７】
［２−１］  カラム反転
図７は、カラム反転駆動方式を用いた検査方法のタイミングチャートである。図８は、カラム反転駆動方式を用いた液晶表示装置１０の電圧状態を説明する図である。
【００４８】
検査工程を実施している間、信号Ｔ_ＡＬＬがハイレベル（オン電圧）にされる。これにより、検査工程を実施している間、スイッチング素子群５０、スイッチング素子群５１、及びスイッチング素子群５２は、オンしている。また、検査工程を実施している間、信号ＣＯＭが共通電圧Ｖｃｏｍに設定され、これにより、共通電極及び蓄積電極が共通電圧Ｖｃｏｍに設定される。ここまでの検査工程は、カラム反転駆動方式以外の駆動方式でも共通である。信号Ｔ_ＯＤＤ、Ｔ_ＥＶＥＮは、０Ｖと正のオン電圧（ハイレベル電圧）とのいずれかに設定される。
【００４９】
時刻ｔ１から例えば奇数フレームが駆動される。時刻ｔ１において、信号Ｇ_ＯＤＤ、Ｒ_ＥＶＥＮ、及びＢ_ＥＶＥＮは、共通電圧Ｖｃｏｍより低い電圧Ｖ１に設定され、信号Ｒ_ＯＤＤ、Ｂ_ＯＤＤ、及びＧ_ＥＶＥＮは、共通電圧Ｖｃｏｍより高い電圧Ｖ２に設定される。図８では、画素（具体的には画素電極）に電圧Ｖ１が印加された状態をマイナス（−）で表し、画素に電圧Ｖ２が印加された状態をプラス（＋）で表している。
【００５０】
なお、Ｖｃｏｍ＝０Ｖの場合は、図７及び図８に示したプラス（＋）、及びマイナス（−）の表記は、そのまま正電圧、負電圧を意味する。勿論、共通電圧Ｖｃｏｍは０Ｖ以外の電圧でも構わない。共通電圧Ｖｃｏｍが０Ｖ以外の電圧（例えば正電圧）である場合、電圧Ｖ１、Ｖ２が共に正電圧になる場合もあり得る。
【００５１】
続いて、時刻ｔ２において、信号Ｔ_ＯＤＤがパルス状のオン電圧にされる。これにより、奇数列ラインに電圧Ｖ２が印加される。続いて、時刻ｔ３において、信号Ｔ_ＥＶＥＮがパルス状のオン電圧にされる。これにより、偶数列ラインに電圧Ｖ１が印加される。この状態で、奇数フレームにおいて、カラム反転駆動が実現される。
【００５２】
続いて、時刻ｔ４から偶数フレームが駆動される。時刻ｔ４において、信号Ｇ_ＯＤＤ、Ｒ_ＥＶＥＮ、及びＢ_ＥＶＥＮは、電圧Ｖ２に設定され、信号Ｒ_ＯＤＤ、Ｂ_ＯＤＤ、及びＧ_ＥＶＥＮは、電圧Ｖ１に設定される。
【００５３】
続いて、時刻ｔ５において、信号Ｔ_ＯＤＤがパルス状のオン電圧にされる。これにより、奇数列ラインに電圧Ｖ１が印加される。続いて、時刻ｔ６において、信号Ｔ_ＥＶＥＮがパルス状のオン電圧にされる。これにより、偶数列ラインに電圧Ｖ２が印加される。この状態で、偶数フレームは、奇数フレームと極性が反転され、かつカラム反転駆動が実現される。その後、時刻ｔ７から奇数フレームの駆動が繰り返される。
【００５４】
なお、カラム反転駆動方式において、信号Ｔ_ＯＤＤ、Ｔ_ＥＶＥＮを同じタイミングでハイレベルにしてもよい。
【００５５】
［２−２］  ドット反転
図９は、ドット反転駆動方式を用いた検査方法のタイミングチャートである。図１０は、ドット反転駆動方式を用いた液晶表示装置１０の電圧状態を説明する図である。
【００５６】
時刻ｔ１から例えば奇数フレームが駆動される。時刻ｔ１において、信号Ｇ_ＯＤＤ、Ｒ_ＥＶＥＮ、及びＢ_ＥＶＥＮは、共通電圧Ｖｃｏｍより低い電圧Ｖ１に設定され、信号Ｒ_ＯＤＤ、Ｂ_ＯＤＤ、及びＧ_ＥＶＥＮは、共通電圧Ｖｃｏｍより高い電圧Ｖ２に設定される。
【００５７】
続いて、時刻ｔ２において、信号Ｔ_ＯＤＤがパルス状のオン電圧にされる。これにより、奇数行ラインと奇数列ラインとが交差する位置の画素に電圧Ｖ２が印加され、奇数行ラインと偶数列ラインとが交差する位置の画素に電圧Ｖ１が印加される。
【００５８】
続いて、時刻ｔ３において、信号Ｇ_ＯＤＤ、Ｒ_ＥＶＥＮ、及びＢ_ＥＶＥＮは、電圧Ｖ２に設定され、信号Ｒ_ＯＤＤ、Ｂ_ＯＤＤ、及びＧ_ＥＶＥＮは、電圧Ｖ１に設定される。
【００５９】
続いて、時刻ｔ４において、信号Ｔ_ＥＶＥＮがパルス状のオン電圧にされる。これにより、偶数行ラインと奇数列ラインとが交差する位置の画素に電圧Ｖ１が印加され、偶数行ラインと偶数列ラインとが交差する位置の画素に電圧Ｖ２が印加される。この状態で、奇数フレームにおいて、ドット反転駆動が実現される。
【００６０】
続いて、時刻ｔ５から偶数フレームが駆動される。時刻ｔ５において、信号Ｇ_ＯＤＤ、Ｒ_ＥＶＥＮ、及びＢ_ＥＶＥＮは、電圧Ｖ２に設定され、信号Ｒ_ＯＤＤ、Ｂ_ＯＤＤ、及びＧ_ＥＶＥＮは、電圧Ｖ１に設定される。
【００６１】
続いて、時刻ｔ６において、信号Ｔ_ＯＤＤがパルス状のオン電圧にされる。これにより、奇数行ラインと奇数列ラインとが交差する位置の画素に電圧Ｖ１が印加され、奇数行ラインと偶数列ラインとが交差する位置の画素に電圧Ｖ２が印加される。
【００６２】
続いて、時刻ｔ７において、信号Ｇ_ＯＤＤ、Ｒ_ＥＶＥＮ、及びＢ_ＥＶＥＮは、電圧Ｖ１に設定され、信号Ｒ_ＯＤＤ、Ｂ_ＯＤＤ、及びＧ_ＥＶＥＮは、電圧Ｖ２に設定される。
【００６３】
続いて、時刻ｔ８において、信号Ｔ_ＥＶＥＮがパルス状のオン電圧にされる。これにより、偶数行ラインと奇数列ラインとが交差する位置の画素に電圧Ｖ２が印加され、偶数行ラインと偶数列ラインとが交差する位置の画素に電圧Ｖ１が印加される。この状態で、偶数フレームは、奇数フレームと極性が反転され、かつドット反転駆動が実現される。その後、時刻ｔ９から奇数フレームの駆動が繰り返される。
【００６４】
［２−３］  フレーム反転
図１１は、フレーム反転駆動方式を用いた検査方法のタイミングチャートである。図１２は、フレーム反転駆動方式を用いた液晶表示装置１０の電圧状態を説明する図である。
【００６５】
時刻ｔ１から例えば奇数フレームが駆動される。時刻ｔ１において、信号Ｒ_ＯＤＤ、Ｇ_ＯＤＤ、Ｂ_ＯＤＤ、Ｒ_ＥＶＥＮ、Ｇ_ＥＶＥＮ、及びＢ_ＥＶＥＮは、共通電圧Ｖｃｏｍより高い電圧Ｖ２に設定される。
【００６６】
続いて、時刻ｔ２において、信号Ｔ_ＯＤＤがパルス状のオン電圧にされる。これにより、奇数行ラインに電圧Ｖ２が印加される。続いて、時刻ｔ３において、信号Ｔ_ＥＶＥＮがパルス状のオン電圧にされる。これにより、偶数行ラインに電圧Ｖ２が印加される。この状態で、奇数フレームにおいて、全画素に電圧Ｖ２が印加される。
【００６７】
続いて、時刻ｔ４から偶数フレームが駆動される。時刻ｔ４において、信号Ｒ_ＯＤＤ、Ｇ_ＯＤＤ、Ｂ_ＯＤＤ、Ｒ_ＥＶＥＮ、Ｇ_ＥＶＥＮ、及びＢ_ＥＶＥＮは、共通電圧Ｖｃｏｍより低い電圧Ｖ１に設定される。
【００６８】
続いて、時刻ｔ５において、信号Ｔ_ＯＤＤがパルス状のオン電圧にされる。これにより、奇数行ラインに電圧Ｖ１が印加される。続いて、時刻ｔ６において、信号Ｔ_ＥＶＥＮがパルス状のオン電圧にされる。これにより、偶数行ラインに電圧Ｖ１が印加される。この状態で、偶数フレームは、奇数フレームと極性が反転され、かつフレーム反転駆動が実現される。その後、時刻ｔ７から奇数フレームの駆動が繰り返される。
【００６９】
なお、フレーム反転駆動方式において、信号Ｔ_ＯＤＤ、Ｔ_ＥＶＥＮを同じタイミングでハイレベルにしてもよい。
【００７０】
［２−４］  行ライン反転
図１３は、行ライン反転駆動方式を用いた検査方法のタイミングチャートである。図１４は、行ライン反転駆動方式を用いた液晶表示装置１０の電圧状態を説明する図である。
【００７１】
時刻ｔ１から例えば奇数フレームが駆動される。時刻ｔ１において、信号Ｒ_ＯＤＤ、Ｇ_ＯＤＤ、Ｂ_ＯＤＤ、Ｒ_ＥＶＥＮ、Ｇ_ＥＶＥＮ、及びＢ_ＥＶＥＮは、共通電圧Ｖｃｏｍより高い電圧Ｖ２に設定される。続いて、時刻ｔ２において、信号Ｔ_ＯＤＤがパルス状のオン電圧にされる。これにより、奇数行ラインに電圧Ｖ２が印加される。
【００７２】
続いて、時刻ｔ３において、信号Ｒ_ＯＤＤ、Ｇ_ＯＤＤ、Ｂ_ＯＤＤ、Ｒ_ＥＶＥＮ、Ｇ_ＥＶＥＮ、及びＢ_ＥＶＥＮは、共通電圧Ｖｃｏｍより低い電圧Ｖ１に設定される。続いて、時刻ｔ４において、信号Ｔ_ＥＶＥＮがパルス状のオン電圧にされる。これにより、偶数行ラインに電圧Ｖ１が印加される。この状態で、奇数フレームにおいて、行ライン反転駆動が実現される。
【００７３】
続いて、時刻ｔ５から偶数フレームが駆動される。時刻ｔ５において、信号Ｒ_ＯＤＤ、Ｇ_ＯＤＤ、Ｂ_ＯＤＤ、Ｒ_ＥＶＥＮ、Ｇ_ＥＶＥＮ、及びＢ_ＥＶＥＮは、電圧Ｖ１に設定される。続いて、時刻ｔ６において、信号Ｔ_ＯＤＤがパルス状のオン電圧にされる。これにより、奇数行ラインに電圧Ｖ１が印加される。
【００７４】
続いて、時刻ｔ７において、信号Ｒ_ＯＤＤ、Ｇ_ＯＤＤ、Ｂ_ＯＤＤ、Ｒ_ＥＶＥＮ、Ｇ_ＥＶＥＮ、及びＢ_ＥＶＥＮは、電圧Ｖ２に設定される。続いて、時刻ｔ８において、信号Ｔ_ＥＶＥＮがパルス状のオン電圧にされる。これにより、偶数行ラインに電圧Ｖ２が印加される。この状態で、偶数フレームは、奇数フレームと極性が反転され、かつ行ライン反転駆動が実現される。その後、時刻ｔ９から奇数フレームの駆動が繰り返される。
【００７５】
［３］  効果
以上詳述したように本実施形態では、液晶表示装置１０は、ストライプ配列（縦ストライプ配列）された画素アレイを備える。ストライプ配列は、３種類の表示色（例えば、赤（Ｒ）、緑（Ｇ）、青（Ｂ））の列ラインのセットが行方向に複数配置されて構成される。液晶表示装置１０は、画素アレイに配設された複数の信号線（ソース線）ＳＬに複数のトランジスタを介して接続された複数の検査信号線（Ｒ_ＯＤＤ、Ｇ_ＯＤＤ、Ｂ_ＯＤＤ、Ｒ_ＥＶＥＮ、Ｇ_ＥＶＥＮ、及びＢ_ＥＶＥＮ）を備える。複数の検査信号線は、赤色の複数の列ラインのうち奇数列ラインに接続された信号線Ｒ_ＯＤＤと、赤色の複数の列ラインのうち偶数列ラインに接続された信号線Ｒ_ＥＶＥＮと、緑色の複数の列ラインのうち奇数列ラインに接続された信号線Ｇ_ＯＤＤと、緑色の複数の列ラインのうち偶数列ラインに接続された信号線Ｇ_ＥＶＥＮと、青色の複数の列ラインのうち奇数列ラインに接続された信号線Ｂ_ＯＤＤと、青色の複数の列ラインのうち偶数列ラインに接続された信号線Ｂ_ＥＶＥＮとを備える。そして、検査工程において、画素アレイの複数の列ラインに対して、隣接する列ラインで電圧の極性が反転するように、検査信号線（Ｒ_ＯＤＤ、Ｇ_ＯＤＤ、Ｂ_ＯＤＤ、Ｒ_ＥＶＥＮ、Ｇ_ＥＶＥＮ、及びＢ_ＥＶＥＮ）に所定の電圧を印加するようにしている。
【００７６】
従って本実施形態によれば、製品出荷後を想定した実駆動により近い反転表示での検査を行うことができる。例えば、奇数の表示色を有する液晶表示装置１０において、検査工程時に、カラム反転駆動、及びドット反転駆動が実現できる。これにより、より精度の高い検査を行うことができる。特に、列方向に隣接する画素同士、及び行方向に隣接する画素同士でショートが発生しているのを検出できる。よって、ショート不良をより低減できる。
【００７７】
また、カラム反転駆動、ドット反転駆動、フレーム反転駆動、及び行ライン反転駆動を実現できるため、表示品位の評価をより正確に行うことができる。特に、隣接する列ラインで極性反転できるため、不良検出率を向上させることができるとともに、検査時間を短縮することができる。
【００７８】
一般的には、表示色がＲ、Ｇ、Ｂの各々について表示状態を確認するため、赤色の複数の列ラインは、共通の赤色用検査信号線に接続され、緑色の複数の列ラインは、共通の緑色用検査信号線に接続され、青色の複数の列ラインは、共通の青色用検査信号線に接続される。この比較例の場合、全ての列ラインに接続される検査信号線の数は、３本で十分である。しかし、この比較例では、カラム反転駆動、及びドット反転駆動を実施することができない。よって、比較例では、不良検出率が低下してしまう。これに対して、本実施形態では、カラム反転駆動、及びドット反転駆動を実現できるため、比較例に比べて、より精度の高い検査を行うことができる。
【００７９】
なお、上記各実施形態では、カラーフィルターの配列として、ストライプ配列を例に挙げて説明しているが、これに限定されるものではない。カラーフィルターの配列に関して、横ストライプ配列、デルタ配列、又はベイヤー配置など他の配列を用いてもよい。
【００８０】
本発明は、上記実施形態に限定されるものではなく、その要旨を逸脱しない範囲内で、構成要素を変形して具体化することが可能である。さらに、上記実施形態には種々の段階の発明が含まれており、１つの実施形態に開示される複数の構成要素の適宜な組み合わせ、若しくは異なる実施形態に開示される構成要素の適宜な組み合わせにより種々の発明を構成することができる。例えば、実施形態に開示される全構成要素から幾つかの構成要素が削除されても、発明が解決しようとする課題が解決でき、発明の効果が得られる場合には、これらの構成要素が削除された実施形態が発明として抽出されうる。
【符号の説明】
【００８１】
１０…液晶表示装置、１１…ドライバ、１２…端子部、２１，２２…基板、２３…液晶層、２４…シール材、２５…スイッチング素子、２６…絶縁層、２７…画素電極、２８…コンタクトプラグ、２９…カラーフィルター、３０…ブラックマトリクス、３１…共通電極、３２，３３…円偏光板、４０…画素、４１…走査ドライバ、４２…信号ドライバ、４３…共通電圧供給回路、５０，５１，５２…スイッチング群素子、６０…検査機器、６１…プローブ
【図１】
2017138393.tif 000003
【図２】
2017138393.tif 000004
【図３】
2017138393.tif 000005
【図４】
2017138393.tif 000006
【図５】
2017138393.tif 000007
【図６】
2017138393.tif 000008
【図７】
2017138393.tif 000009
【図８】
2017138393.tif 000010
【図９】
2017138393.tif 000011
【図１０】
2017138393.tif 000012
【図１１】
2017138393.tif 000013
【図１２】
2017138393.tif 000014
【図１３】
2017138393.tif 000015
【図１４】
2017138393.tif 000016